【手続補正書】
【提出日】平成15年11月4日(2003.11.4)
【手続補正１】
【補正対象書類名】明細書
【補正対象項目名】発明の名称
【補正方法】変更
【補正の内容】
【発明の名称】光学式センサー
【手続補正２】
【補正対象書類名】明細書
【補正対象項目名】特許請求の範囲
【補正方法】変更
【補正の内容】
【特許請求の範囲】
【請求項１】
光学媒体の移動量または光学媒体に記録された情報を検出するための光学式センサーであり、
光共振器を形成する互いに平行に配置された上部ミラーと下部ミラーと、その間に配置された光利得媒体とを有し、上部ミラーと下部ミラーの面からなる光射出面からその面に直交する方向に光ビームを射出する面発光素子と、光利得媒体の光利得を面発光素子がレーザー発振しない範囲に制御する光利得制御手段とを備えている面発光光源と、
面発光素子に対して移動可能であり、移動方向に光学特性が一定のピッチで変化する主面を持つ光学媒体とを備えており、
面発光素子と光学媒体は、面発光素子の光射出面と光学媒体の主面が互いに平行に位置し、面発光素子から射出された光ビームが光学媒体の主面の一部に照射されるように配置されており、
さらに、光学媒体からの光の強度を検出する光強度検出手段を備えている光学式センサーであって、
面発光素子の光射出面と光学媒体の主面の間の距離Ｌex、上部ミラーと下部ミラーの間の媒体の屈折率ｎ、上部ミラーと下部ミラーの平均反射率（相乗平均）Ｒ、上部ミラーと下部ミラーで形成される共振器の共振器長Ｌ0 が、
Ｌex＞ｎＬ0Ｒ1/2 ／（１−Ｒ）
を満足している光学式センサー。
【請求項２】
光学媒体の移動量または光学媒体に記録された情報を検出するための光学式センサーであり、
光共振器を形成する互いに平行に配置された上部ミラーと下部ミラーと、その間に配置された光利得媒体とを有し、上部ミラーと下部ミラーの面からなる光射出面からその面に直交する方向に光ビームを射出する面発光素子と、光利得媒体の光利得を面発光素子がレーザー発振しない範囲に制御する光利得制御手段とを備えている面発光光源と、
面発光素子の上部ミラーおよび下部ミラーの面と平行に、かつ面発光素子に対して相対的に移動し、その移動方向に光学特性が所定の間隔で変化するように形成された主面を有する光学媒体と、面発光素子から射出された光ビームが、光学媒体の一部を照射し、光学媒体を透過した光または光学媒体で反射あるいは回折あるいは散乱された光の強度を検出可能に配置された光強度検出手段とを備えた光学式センサーであって、
面発光素子の光射出面と光学媒体の主面の間の距離Ｌex、上部ミラーと下部ミラーの間の媒体の屈折率ｎ、上部ミラーと下部ミラーの平均反射率（相乗平均）Ｒ、上部ミラーと下部ミラーで形成される共振器の共振器長Ｌ0 が、
Ｌex＞ｎＬ0Ｒ1/2 ／（１−Ｒ）
を満足している光学式センサー。
【請求項３】
面発光光源と光学媒体の間にレンズを配置することを特徴とする請求項２記載の光学式センサー。
【請求項４】
光学媒体は面発光素子から射出される光の透過率を所定の間隔で変化するように形成された主面を有することを特徴とする請求項２記載の光学式センサー。
【請求項５】
光学媒体は面発光素子から射出される光の散乱強度を所定の間隔で変化するように形成された主面を有することを特徴とする請求項２記載の光学式センサー。
【請求項６】
光学媒体は面発光素子から射出される光の所定方向に対する回折効率が所定の間隔で変化するように形成された主面を有することを特徴とする請求項２記載の光学式センサー。
【請求項７】
光学媒体と面発光素子の間に回折格子が配置され、光強度検出手段は、面発光光源から回折格子を経て光学媒体に照射された光が、回折格子に帰還し、これにより再度回折される光を検出可能な位置に配置されていることを特徴とする請求項２記載の光学式センサー。
【請求項８】
面発光素子と光学媒体で反射または回折または散乱された光の強度を検出可能に配置された光強度検出手段を一組以上有することを特徴とする請求項２記載の光学式センサー。
【手続補正３】
【補正対象書類名】明細書
【補正対象項目名】０００１
【補正方法】変更
【補正の内容】
【０００１】
【発明の属する技術分野】本発明は、光学媒体の移動量または光学媒体に記録された情報を検知する光学式センサーに関する。


【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
【課題を解決するための手段】本発明による光学式センサーは、光学媒体の移動量または光学媒体に記録された情報を検出するための光学式センサーであり、光共振器を形成する互いに平行に配置された上部ミラーと下部ミラーと、その間に配置された光利得媒体とを有し、上部ミラーと下部ミラーの面からなる光射出面からその面に直交する方向に光ビームを射出する面発光素子と、光利得媒体の光利得を面発光素子がレーザー発振しない範囲に制御する光利得制御手段とを備えている面発光光源と、面発光素子に対して移動可能であり、移動方向に光学特性が一定のピッチで変化する主面を持つ光学媒体とを備えており、面発光素子と光学媒体は、面発光素子の光射出面と光学媒体の主面が互いに平行に位置し、面発光素子から射出された光ビームが光学媒体の主面の一部に照射されるように配置されており、さらに、光学媒体からの光の強度を検出する光強度検出手段を備えている光学式センサーであって、面発光素子の光射出面と光学媒体の主面の間の距離Ｌex、上部ミラーと下部ミラーの間の媒体の屈折率ｎ、上部ミラーと下部ミラーの平均反射率（相乗平均）Ｒ、上部ミラーと下部ミラーで形成される共振器の共振器長Ｌ0 が、Ｌex＞ｎＬ0Ｒ1/2 ／（１−Ｒ）を満足している。
【手続補正６】
【補正対象書類名】明細書
【補正対象項目名】００１４
【補正方法】変更
【補正の内容】
【００１４】
本発明による別の光学式センサーは、光学媒体の移動量または光学媒体に記録された情報を検出するための光学式センサーであり、光共振器を形成する互いに平行に配置された上部ミラーと下部ミラーと、その間に配置された光利得媒体とを有し、上部ミラーと下部ミラーの面からなる光射出面からその面に直交する方向に光ビームを射出する面発光素子と、光利得媒体の光利得を面発光素子がレーザー発振しない範囲に制御する光利得制御手段とを備えている面発光光源と、面発光素子の上部ミラーおよび下部ミラーの面と平行に、かつ面発光素子に対して相対的に移動し、その移動方向に光学特性が所定の間隔で変化するように形成された主面を有する光学媒体と、面発光素子から射出された光ビームが、光学媒体の一部を照射し、光学媒体を透過した光または光学媒体で反射あるいは回折あるいは散乱された光の強度を検出可能に配置された光強度検出手段とを備えた光学式センサーであって、面発光素子の光射出面と光学媒体の主面の間の距離Ｌex、上部ミラーと下部ミラーの間の媒体の屈折率ｎ、上部ミラーと下部ミラーの平均反射率（相乗平均）Ｒ、上部ミラーと下部ミラーで形成される共振器の共振器長Ｌ0 が、Ｌex＞ｎＬ0Ｒ1/2 ／（１−Ｒ）を満足している。
【手続補正７】
【補正対象書類名】明細書
【補正対象項目名】００９４
【補正方法】変更
【補正の内容】
【００９４】
【発明の効果】本発明によれば、戻り光の光源への帰還を防止する光アイソレーション手段を持たない、光源から射出される光ビームの主軸と光学媒体の主面とが直交している光学式センサーが提供される。これにより、光学式センサーのより一層の小型化、組立の容易化、製造コストの低減化が図れる。